(57)【要約】【課題】  芳香剤などの揮発性液体を揮散させたいときに簡単な操作で一定時間液体を揮散させることができる液体揮散容器を提供すること。【解決手段】  揮発性液体を収容するとともに、大気中に揮散させる液体揮散容器であって、一方に載置可能な底部と、他方に外部に連通する口部とを有し、揮発性液体を収容可能な２つのボトルと、２つのボトルを連結して揮発性液体を揮散させる揮散機構とからなり、揮散機構は、２つのボトルの口部に接続して流路を形成するとともに、管壁に貫通孔を設けた連通管と、連通管の両端部に設けられ、揮発性液体の流量を規制するとともに、揮発性液体と空気の置換を促進する２つの液体案内部と、連通管の外周面を覆い、揮発性液体を含浸可能な含浸体とからなり、各ボトルのそれぞれの底部は、交互に天地を反転させて載置可能に形成されていることを特徴とする。【選択図】  図２
2015066271.tif 000002
【特許請求の範囲】
【請求項１】
揮発性液体を収容するとともに、大気中に揮散させる液体揮散容器であって、
一方に載置可能な底部と、他方に外部に連通する口部とを有し、揮発性液体を収容可能な２つのボトルと、２つのボトルを連結して揮発性液体を揮散させる揮散機構とからなり、
揮散機構は、２つのボトルの口部に接続して流路を形成するとともに、管壁に貫通孔を設けた連通管と、連通管の両端部に設けられ、揮発性液体の流量を規制するとともに、揮発性液体と空気の置換を促進する２つの液体案内部と、連通管の外周面を覆い、揮発性液体を含浸可能な含浸体とからなり、
各ボトルのそれぞれの底部は、交互に天地を反転させて載置可能に形成されていることを特徴とする液体揮散容器。
【請求項２】
液体案内部は、各ボトルの口部と連通管の端部にそれぞれ嵌合して、各ボトルと連通管とを接続する２つのキャップからなり、
キャップは、ボトル口部の天面に当接する天板の中央に穿設された開口部と、開口部の周囲からボトル内に向けて垂設される案内筒と、案内筒の内周から中央部に向けて延設される支持リブを介してボトル内に垂下される案内棒とを具えることを特徴とする請求項１記載の液体揮散容器。
【請求項３】
含浸体の両端部から各ボトル内に垂下される２つの吸上げ芯をさらに具えたことを特徴とする請求項１または２に記載の液体揮散容器。
【請求項４】
連通管の貫通孔は、両端方向に延びるスリットであることを特徴とする請求項１〜３のいずれかに記載の液体揮散容器。
【請求項５】
両端が各ボトルに連結され、揮散機構を外部から覆うとともに、大気と連通する揮散孔が設けられた把持カバーをさらに具えたことを特徴とする請求項１〜４のいずれかに記載の液体揮散容器。
【請求項６】
各ボトルは、透明または半透明の素材からなることを特徴とする請求項１〜５のいずれかに記載の液体揮散容器。
【発明の詳細な説明】
【技術分野】
【０００１】
本発明は、芳香剤などの揮発性液体を収容し、大気中に揮散させる液体揮散容器に関し、より詳しくは、揮発性液体を揮散させたいときに簡単な操作で一定時間液体を揮散させることができる液体揮散容器に関する。
【背景技術】
【０００２】
容器内に収容した芳香剤や消臭剤などの揮発性液体を、容器内に垂下した吸上げ芯で吸い上げ、この吸い上げた揮発性液体を揮散孔から容器外に揮散させるようにした液体揮散容器は、従来からよく知られている。
そして、このような液体揮散容器を使用するに際し、液体を揮散可能な状態にするための操作を簡易なものとする種々の工夫が提案されている（例えば、特許文献１参照）。
【先行技術文献】
【特許文献】
【０００３】
【特許文献１】特開２０１０−２６０５８７号公報
【発明の概要】
【発明が解決しようとする課題】
【０００４】
上記特許文献１の揮発性液体散布装置は、揮発性液体が収容された容器の内部に差し込まれた挿入筒３と、該挿入筒３内に吸上げ芯５を保持するとともに先端部に刃部３０ａが設けられた可動体４がカバー体６によって下方移動可能に収容設置されている。
この揮発性液体散布装置を使用する場合には、カバー体６を容器軸方向に下降させ、可動体４の先端部に設けられた刃部３０ａが挿入筒３の底部２２を開口させることにより、挿入筒３内と揮発性液体が収容された容器内とが連通し、揮発性液体が吸上げ芯５により吸い上げられて含浸プレート３５から大気中に揮散する。
【０００５】
しかしながら、上記特許文献１記載の揮発性液体散布装置では、可動体４やカバー体６などの可動部分を設けるために構造が複雑になる。
また、一度挿入筒３を開口して揮発性液体を吸上げ芯５に接触させると、液体の揮発を途中で止めることは困難であり、かつ、使用開始操作の後は容器に触れることもないため、容器内の揮発性液体がなくなっていても気づかないことがある。
さらに、揮発性液体は吸上げ芯５によって吸い上げるために、どうしても容器の底に揮発性液体が残り、容器内の揮発性液体を最後まで完全に使い切ることができないという問題があった。
【０００６】
本発明は、上記問題を解決することを課題とし、いつでも芳香剤などの揮発性液体を揮散させたいときに簡単な操作で一定時間液体を揮散させることができ、使用者が操作する度に液体の揮散効果を感じる「使用感」と「遊び心」が得られるとともに、容器内の液体の残量をも感じることができ、さらに、揮発性液体の残量を少なくすることができて経済的な液体揮散容器を提供することを目的とする。
【課題を解決するための手段】
【０００７】
本発明は、上記の課題を解決するため、液体揮散容器として、揮発性液体を収容するとともに、大気中に揮散させる液体揮散容器であって、一方に載置可能な底部と、他方に外部に連通する口部とを有し、揮発性液体を収容可能な２つのボトルと、２つのボトルを連結して揮発性液体を揮散させる揮散機構とからなり、揮散機構は、２つのボトルの口部に接続して流路を形成するとともに、管壁に貫通孔を設けた連通管と、連通管の両端部に設けられ、揮発性液体の流量を規制するとともに、揮発性液体と空気の置換を促進する２つの液体案内部と、連通管の外周面を覆い、揮発性液体を含浸可能な含浸体とからなり、各ボトルのそれぞれの底部は、交互に天地を反転させて載置可能に形成されていることを特徴とする構成を採用する。
【０００８】
液体揮散容器の実施形態として、液体案内部は、各ボトルの口部と連通管の端部にそれぞれ嵌合して、各ボトルと連通管とを接続する２つのキャップからなり、キャップは、ボトル口部の天面に当接する天板の中央に穿設された開口部と、開口部の周囲からボトル内に向けて垂設される案内筒と、案内筒の内周から中央部に向けて延設される支持リブを介してボトル内に垂下される案内棒とを具えることを特徴とする構成を採用する。
【０００９】
液体揮散容器の別の実施形態として、含浸体の両端部から各ボトル内に垂下される２つの吸上げ芯をさらに具えたことを特徴とする構成、また、連通管の貫通孔は、両端方向に延びるスリットであることを特徴とする構成を採用する。
液体揮散容器のさらなる実施形態として、両端が各ボトルに連結され、揮散機構を外部から覆うとともに、大気と連通する揮散孔が設けられた把持カバーをさらに具えたことを特徴とする構成、また、各ボトルは、透明または半透明の素材からなることを特徴とする構成を採用する。
【発明の効果】
【００１０】
本発明の液体揮散容器は、揮発性液体の流量を規制するとともに、揮発性液体と空気の置換を促進する２つの液体案内部を両端部に設けた連通管によって２つのボトルを接続し、各ボトルのそれぞれの底部は、交互に天地を反転させて載置可能に形成されているから、容器を把持して天地を反転させれば、上方に位置したボトルから連通管に流入した揮発性液体が、液体案内部によって下方のボトルへの流出量が規制されることにより、連通管の貫通孔から揮発性液体が外方に流出して含浸体に含浸され、大気中に揮散される。
揮発性液体が、一旦含浸体に含浸されれば、上方のボトルから下方のボトルに全ての揮発性液体が流下した後も、一定時間大気中に揮散することができる。
さらに、もう一度揮散させたいときは、容器の天地を反転すれば、再度大気中への揮散を開始することができる。
【００１１】
このように、本発明の液体揮散容器は、容器の天地を反転させるという簡単な操作で大気中への揮散を開始し、いつでも液体を揮散させたいときは、揮散を再開して一定時間液体を揮散させることができるので、使用者が容器の天地を反転させる度に液体の揮散効果を感じる「使用感」と「遊び心」が得られるとともに、容器内の液体の残量をも感じることができる。
また、容器の天地を反転すると、液体の入っているボトルも上方へ移動して天地を反転するから、揮発性液体の残量を少なくすることができる。
【図面の簡単な説明】
【００１２】
【図１】本発明の液体揮散容器の外観斜視図である。
【図２】本発明の第１実施例の液体揮散容器の半断面側面図である。
【図３】図２の線Ｘ１−Ｘ１における矢視断面図である。
【図４】本発明の第２実施例の液体揮散容器の半断面側面図である。
【図５】図４の線Ｘ２−Ｘ２における矢視断面図である。
【発明を実施するための形態】
【００１３】
次に、本発明の液体揮散容器について、実施例を示した図面を参照して説明する。
【実施例１】
【００１４】
図１、２において、Ａ１，Ａ２は揮発性液体を収容可能なボトル、Ｂは揮発性液体を大気中に揮散させる揮散機構、Ｃは把持カバーである。
２つのボトルＡ１，Ａ２は、揮散機構Ｂおよび把持カバーＣによって対向して連結されており、液体揮散容器は、鼓状の外観を呈している。
【００１５】
ボトルＡ１，Ａ２は、それぞれ外部と連通して揮発性液体を流通させる口部１と、外周面を形成する外周壁２と、底面を形成する底壁３と、口部１から外周壁２へと連続させる湾曲頸部４とからなる。
湾曲頸部４は、ボトルＡ１，Ａ２が上方位置にあるとき、液体を遅滞なく口部１に流下させるとともに、外周壁２と連結する側で把持カバーＣの端部内周面に弾性的に嵌合するように湾曲し、把持カバーＣの端部端面が対向する部位には、把持カバーＣの外周面と外周壁２とがほぼ一致した外周面を形成するように、把持カバーＣの肉厚に対応する連結拡径部５が設けられている。
また、底壁３の周縁部には、液体揮散容器を安定して載置させるための載置突条環６が設けられている。
なお、ボトルＡ１，Ａ２は、内部の揮発性液体の残量が外部から見えるように、透明または半透明の素材から形成されていることが望ましい。
【００１６】
図２、３に示すように、揮散機構Ｂは、ボトルＡ１，Ａ２のそれぞれの口部１に嵌合する２つのキャップ９ａ，９ｂと、２つのキャップ９ａ，９ｂに連結してボトルＡ１，Ａ２間の液体流路を形成する連通管１０と、連通管１０の外周面を覆うように設けられた揮発性液体を含浸可能な含浸体１１とからなる。
【００１７】
キャップ９ａ，９ｂは、それぞれボトルＡ１，Ａ２の口部１に螺合する嵌合筒１３と、嵌合筒１３に連設し口部１の天面に当接するとともに連通管１０に嵌合する内筒１４を立設した天板１５と、連通管１０および含浸体１１の周囲に間隙１７を有して天板１５に立設した外筒１６とを具えている。
本実施例では、ボトルＡ１，Ａ２の口部１と嵌合筒１３との結合形態は、ねじによる螺合を採用しているが、これに限定されず、また、連通管１０と内筒１４の嵌合は、通常の締まりばめによる嵌合を採用しているが、これに限定されず、ねじによる螺合やアンダーカットなど適宜な結合形態が採用可能である。
【００１８】
天板１５の中央には、内筒１４の内周と同一径の開口部１５ａが穿設され、開口部１５ａの周囲からボトル内に向けて、内周が内筒１４の内周と同一径であり、外周が先細りに傾斜した案内筒１８が垂設されている。
案内筒１８は、その内周から中央に向けて延設された４枚の支持リブ１９を介して案内棒２０を支持しており、４枚の支持リブ１９は、天板１５側の一辺１９ａが水平であるのに対して、ボトル側の他辺１９ｂが案内筒１８の外周面から連続する角度で傾斜した台形状に形成されている。
案内棒２０は、平坦な末端が内筒１４の先端と同一面に位置し、先鋭な先端が支持リブ１９の他辺１９ｂの先端よりもボトル内に延長されて垂下されている。
本実施例では、案内棒２０を支持する支持リブ１９を４枚としているが、少なくとも２枚あればよく、さらに、支持リブ１９は、内筒１４の内周まで及ぶものでもよい。
【００１９】
連通管１０は、両端がキャップ９ａ，９ｂのそれぞれの内筒１４に嵌合され、連通管１０の管壁には、両端方向に延び、管内外を貫通する貫通孔としてのスリット２５が設けられている。
スリット２５は、含浸体１１を介して外気と空気置換するとともに、揮発性液体を流出させて含浸体１１に液体を含浸させるものであるから、スリットの形成位置は問わないが、液体が流出しすぎないように周方向幅は小さなものでよく、周方向の１個所に設ければ足りるが、必要に応じて複数設けてもよい。
また、連通管１０の貫通孔は、必ずしもスリット２５である必要はなく、内外を貫通する複数の小孔であってもよい。
【００２０】
連通管１０の外周面を覆う含浸体１１は、連結気孔を有する多孔質体やスポンジ、不織布などからなり、連通管１０の外周面を覆う筒状に形成されている。
揮散機構Ｂを外部から覆い、容器の天地を反転させる際に手指で把持する把持カバーＣには、液体を含浸体１１から大気中へ揮散させるための揮散孔２７が設けられている。
本実施例では、揮散孔２７は窓状の４つの大きな孔からなっているが、単数の窓状の孔でも良い。さらに、必ずしもこのような窓状の孔である必要はなく、多数のより小さな孔からなるものでもよい。
また、このような把持カバーＣは、必ずしも必要なものではなく、キャップ９ａ，９ｂに把持部を一体に成形してもよいし、ボトルＡ１，Ａ２のいずかに把持部を設けて、把持カバーとしてもよい。
【００２１】
次に、本実施例の使用態様と作用効果について説明する。
一方のボトルＡ１の底面が載置された図１、２に示される状態では、揮発性液体は下方のボトルＡ１に収容されている。
揮発性液体を揮散させるときは、手指で把持カバーＣを把持して容器の天地を反転させ、ボトルＡ２側を下方にして載置する。
上方に反転移動したボトルＡ１内の液体は、口部１からキャップ９ａの案内筒１８外周の傾斜面と内周の支持リブ１９とで流れが規制されながら、開口部１５ａ、内筒１４の順に通って連通管１０内の流路に流入する。
本実施例では、案内筒１８を形成したために、ボトルＡ１内の液体を残らず連通管１０内に流入できないが、たとえば、案内筒１８に細幅の切り溝を１つ以上形成することにより、ボトルＡ１内の液体を残らず連通管１０内に流入させることもできる。
【００２２】
連通管１０のボトルＡ２側端部には、中央に支持リブ１９を介して案内棒２０を支持する案内筒１８を形成したキャップ９ｂが設けられているから、連通管１０の流路内に流入した液体は、開口部１５ａで狭められた後、支持リブ１９により４つの流れに分割されてボトルＡ２へ流下することにより、連通管１０の流路内を流れる液体の流速が減速されることになる。
さらに、キャップ９ｂを通過してボトルＡ２へ流下する液体は、大部分が支持リブ１９を伝って案内棒２０の先端から細い流れとなってボトルＡ２内に流下することにより、使用者の視覚に訴えることができるだけでなく、流下する液体とボトルＡ２内の空気との置換を促進することができる。
【００２３】
連通管１０の管壁には、両端方向に延びるスリット２５が設けられているから、キャップ９ｂの上方に滞留した揮発性液体は、スリット２５から流出して含浸体１１に浸出していく。
この際、スリット２５およびキャップ９ａの案内筒１８を通って気液が置換され、ボトルＡ１内が負圧になるようなことはない。
また、スリット２５は、急激に液体が流出しないように適宜の周方向幅および周方向の配置数が設定されているが、それでも含浸体１１に含浸される量を超えて流出してしまった場合には、過分に流出した液体はキャップ９ｂの隙間１７に滞留し、周囲を汚すようなことはない。
隙間１７に滞留した液体は、含浸体１１へ引き続き供給され揮散されるから、無駄になることもない。
【００２４】
スリット２５から浸出した液体は、連通管１０の外周を覆う含浸体１１に含浸され、その表面から大気中に揮散されていく。
同時に、ボトルＡ１内の液体は、キャップ９ｂの案内筒１８からゆっくりボトルＡ２へ流下していき、やがて全ての液体がボトルＡ２に移行し終わると、スリット２５を介した含浸体１１への液体の供給が終了し、その後は含浸体１１に含浸された液体が一定時間たってなくなるまで揮散し続ける。
連通管１０は、管壁内と外部を連通するスリット２５の開口面積が小さいので、ボトルＡ２内の液体はスリット２５からはほとんど揮散せず、含浸体１１に含浸された液体がなくなると、液体の揮散は中断される。
【００２５】
その後は、使用者が液体の揮散を再開したくなったときに、再度容器の天地を反転させれば、液体の揮散を再開して一定時間液体を揮散させることができるので、使用者が操作する度に液体の揮散効果を感じる「使用感」と「遊び心」が得られる。
また、ボトルＡ１，Ａ２は透明、または半透明の素材からなっているから、揮発性液体の残量を外部から目視することができるとともに、容器を反転操作する際に、容器の重さによって容器内の液体の残量を感じることができる。
【００２６】
さらに、容器の天地を反転すると液体の入っているボトルも上方へ移動して天地を反転するから、揮発性液体の残量を少なくすることができる。
なお、連通管１０のスリット２５の開口面積は小さいので、容器内の揮発性液体はほとんど揮散しないが、長い間使用しないときは、図示しないが、液体が収容されたボトルＡ（Ａ１又はＡ２）をキャップ９（９ａまたは９ｂ）から外し、ボトルＡに蓋栓をして密閉保存して、使用を再開するときに蓋栓を外しボトルＡをキャップ９に螺合して容器に組み付ければよい。
【００２７】
同様に、本実施例の液体揮散容器を初めて使用するときには、図示しないが、液体が収容された一方のボトルＡの蓋栓を外し、他方のボトルＡと揮散機構Ｂ、把持カバーＣが組み付けられた容器組立体を上方から螺合して取り付けるようにすればよい。
その際、ボトルＡの口部１は、キャップ９の嵌合筒１３に螺合して取付固定されるが、ボトルＡの湾曲頸部４は、把持カバーＣの端部内周面に弾性的に嵌合するから取付誤差を吸収することができるとともに、把持カバーＣの肉厚に対応する連結拡径部５を有しているから、把持カバーＣの外周面と外周壁２とがほぼ一致した外周面を形成して外観を優れたものにすることができる。
【実施例２】
【００２８】
つぎに、第１実施例のキャップの構成を変更した第２実施例について説明する。
本実施例については、第１実施例と同一の構成部分には同一の符号を付して図示することで詳しい説明を省略し、相違点を中心に説明する。
図４において、Ａ１，Ａ２は揮発性液体を収容可能なボトル、Ｂは揮発性液体を大気中に揮散させる揮散機構、Ｃは把持カバーである。
【００２９】
図４、５に示すように、揮散機構Ｂは、ボトルＡ１，Ａ２のそれぞれの口部１に嵌合する２つのキャップ９ａ，９ｂと、２つのキャップ９ａ，９ｂに連結してボトルＡ１，Ａ２間の液体流路を形成する連通管１０と、連通管１０の外周面を覆うように設けられた揮発性液体を含浸可能な含浸体１１とからなる。
【００３０】
キャップ９ａ，９ｂは、それぞれボトルＡ１，Ａ２の口部１に螺合する嵌合筒１３と、嵌合筒１３に連設し口部１の天面に当接するとともに連通管１０に嵌合する内筒１４を立設した天板１５と、連通管１０および含浸体１１の周囲に間隙１７を有して天板１５に立設した外筒１６とを具えている。
天板１５の中央には、内筒１４の内周と同一径の開口部１５ｂが穿設され、開口部１５ｂの周囲からボトルＡ１，Ａ２内に向けて、先すぼまりの円錐台状に形成された案内筒２１が垂設されている。
【００３１】
案内筒２１は、その先端内周から中央に向けて延設された４枚の支持リブ２２を介して案内棒２３を支持しており、４枚の支持リブ２２は、長方形状に形成されている。
案内棒２３は、平坦な末端が内筒１４の先端と同一面に位置し、先鋭な先端が支持リブ２２の先端よりもボトルＡ１，Ａ２内に延長されて垂下されている。
本実施例では、案内棒２３を支持する支持リブ２２を４枚としているが、少なくとも２枚あればよく、さらに、支持リブ２２は、案内筒２１の内周全体まで及ぶものでもよい。
【００３２】
連通管１０は、両端がキャップ９ａ，９ｂのそれぞれの内筒１４に嵌合され、連通管１０の外周面は、筒状に形成された含浸体１１で覆われている。
キャップ９ａ，９ｂのそれぞれの天板１５には、連通管１０と含浸体１１の接触面に通じる小穴が形成され、小穴の周囲からボトルＡ１，Ａ２内に向けて取付筒２４が垂設されている。
取付筒２４には、一端がボトルＡ１，Ａ２の底部に達し、他端が小穴を通して含浸体１１に達する２本の吸上げ芯２９がそれぞれ挿入されている。
吸上げ芯２９は、毛細管現象によりボトルＡ１，Ａ２内の液体を含浸体１１まで吸い上げることができれば、その材質は問わない。
【００３３】
次に、本実施例の使用態様と作用効果について説明する。
一方のボトルＡ１の底面が載置された図４に示される状態から、揮発性液体を揮散させるときは、第１実施例と同様に、手指で把持カバーＣを把持して容器の天地を反転させ、ボトルＡ２側を下方にして載置すればよい。
【００３４】
本実施例では、２本の吸上げ芯２９のうち、常時１本をどちらかのボトルＡ１またはＡ２に収容された揮発性液体中に浸漬するように構成していることから、わずかな量ではあるが、ボトル内の液体は、常時、吸上げ芯２９を介して含浸体１１に供給される。
このことにより、容器の天地を反転させたときのように液体を揮散させることはできないが、一定時間経過した後もわずかな液体の揮散を行うことができる。
【００３５】
さらに、本実施例では、案内筒２１を先すぼまりに形成したことにより、連通管１０の流路を流れる液体の流速を第１実施例の液体揮散容器よりも遅くすることで、連通管１０を流れる液体の流量をより規制することができる。
その他の作用効果は、第１実施例と同様である。
【産業上の利用可能性】
【００３６】
本発明の液体揮散容器は、容器内に収容した揮発性液体を簡単な操作で一定時間大気中に揮散することができ、「使用感」と「遊び心」が得られて外観も優れたものであるから、室内に置く各種芳香剤容器や消臭剤容器などに広く利用することができる。
【符号の説明】
【００３７】
Ａ１，Ａ２    ボトル
Ｂ            揮散機構
Ｃ            把持カバー
１            口部
２            外周壁
３            底壁
４            湾曲頸部
５            連結拡径部
６            載置突条環
９ａ，９ｂ    キャップ
１０            連通管
１１            含浸体
１３            嵌合筒
１４            内筒
１５            天板
１５ａ，１５ｂ  開口部
１６            外筒
１７            間隙
１８、２１      案内筒
１９、２２      支持リブ
１９ａ          一辺
１９ｂ          他辺
２０，２３      案内棒
２４            取付筒
２５            スリット（貫通孔）
２７            揮散孔
２９            吸上げ芯
【図１】
2015066271.tif 000003
【図２】
2015066271.tif 000004
【図３】
2015066271.tif 000005
【図４】
2015066271.tif 000006
【図５】
2015066271.tif 000007